(57)【要約】【課題】  本考案は、付属眼鏡付き眼鏡構造を提供する。【解決手段】  磁気部材３３，４３により発生される磁力を介して、主体眼鏡ユニット３０の誘引部材３４と付属眼鏡ユニット４０の被誘引部材４４とが互いに磁気的に引き付けられて、磁性的な挿入位置決め効果により、被誘引部材４４の挿入用ロッド４４１が誘引部材３４の挿入用溝３４１に正確に嵌るようにされる構成としてので、これにより、従来技術で見られたような付属眼鏡ユニット４０が主体眼鏡ユニット３０上で不安定になって滑り落ちてしまうような危険を回避することができるようにしたことで、一層安定性した付属眼鏡付き眼鏡構造とした。【選択図】    図７
0003125901.tif 000002
【実用新案登録請求の範囲】
【請求項１】
主体眼鏡ユニットと付属眼鏡ユニットとからなる付属眼鏡付き眼鏡構造であって、前記眼鏡構造において、
主体眼鏡ユニットと付属眼鏡ユニットのそれぞれにはブリッジが形成され、前記各ブリッジには、磁気部材を埋め込むために適切な位置に組立用孔が開けられていて、この磁気部材が発生する磁力を介して付属眼鏡ユニットが主体眼鏡ユニットに適所に安定して定着されるようになり、
主体眼鏡ユニットおよび付属眼鏡ユニットの前記磁気部材にはそれぞれの一側に、誘引部材と被誘引部材とが配設されており、これら磁気伝導力のある誘引部材と被誘引部材には、それぞれ組立用の組付け部品があり、誘引部材の組付け部品には挿入用溝部が限定されており、被誘引部材の組付け部品には挿入用ロッドが突出しており、誘引部材の発生する磁力によって、付属眼鏡ユニットの被誘引部材と主体眼鏡ユニットの誘引部材とが互いに磁気的に引き付け合って位置合せされるようになると共に、被誘引部材の挿入用ロッドが、誘引部材の挿入用溝部に正確に嵌合されるので、付属眼鏡ユニットを主体眼鏡ユニットに磁気的に引き合って挿入して適所に安定して位置決めすることができるようにしたことを特徴とする付属眼鏡付き眼鏡構造。
【請求項２】
主体眼鏡ユニットには1対のレンズ玉が配設されており、各々のレンズ玉にはその表側表面の予定位置に外側面から内側面へと伸長する制限孔が開けられており、更に主体眼鏡ユニットは1対のつるヒンジ部があり、各つるヒンジ部には、前記制限孔と同形状で、ヒンジ部前方で内側に伸長している制限突起があり、これにより前記制限孔と嵌合するようになっており、また、多数の挿入用リブが前記制限突起の外側表面に形成されていて、これにより制限孔に対してきつく隣接できるようになり、また更に、可撓性プラスチック製の中空の保護用プラグが制限孔と制限突起との間に位置するように適用されることにより一層接着性を高めることができるようにしたことを特徴とする請求項１記載の付属眼鏡付き眼鏡構造。
【請求項３】
主体眼鏡ユニットおよび付属眼鏡ユニットの組立用孔は各ブリッジの左右両側に設けられていて、これらの組立用孔に、同形状に形成された誘引部材および被誘引部材がそれぞれ埋め込まれ、適所に位置付けされるようにしたことを特徴とする請求項１記載の付属眼鏡付き眼鏡構造。
【請求項４】
主体眼鏡ユニット及び付属眼鏡ユニットの組立用孔がそれぞれのブリッジ部の中央部に開けられていて、これらの組立用孔に、同形状に形成された誘引部材および被誘引部材がそれぞれ埋め込まれ、適所に位置付けされるようにしたことを特徴とする請求項１記載の付属眼鏡付き眼鏡構造。
【請求項５】
主体眼鏡ユニット及び付属眼鏡ユニットの組立用孔は、円形、矩形、三角形、菱形など種々に異なる形状に形成され得ることを特徴とする請求項１記載の付属眼鏡付き眼鏡構造。
【請求項６】
つるヒンジ部の制限突起は外周縁部が制限孔の内径寸法よりも若干大きい寸法であることを特徴とする請求項２記載の付属眼鏡付き眼鏡構造。
【請求項７】
レンズ玉の制限孔は、円形、矩形、三角形、菱形、台形、短辺がアーチ形になった長楕円形、あるいは短辺がテーパ付きの長楕円形など、種々に異なる形状に形成され得ることを特徴とする請求項２記載の付属眼鏡付き眼鏡構造。
【請求項８】
つるヒンジ部の制限突起にはねじ孔が配設されていて、このねじ孔に頭部付き係止部材が螺合されるようにしたことを特徴とする請求項１記載の付属眼鏡付き眼鏡構造。
【請求項９】
保護用プラグはその一端部の外側周縁に可撓性パッドが突出しており、眼鏡のレンズ玉の制限孔の一側に対して隣接して設置されることを特徴とする請求項２記載の付属眼鏡付き眼鏡構造。
【請求項１０】
前記誘引部材および被誘引部材はそれぞれステンレス鋼あるいは鉄製であり、該誘引部材および被誘引部材の組付け部品が主体眼鏡ユニットの組立用孔および付属眼鏡ユニットの組立用孔に係合し、それぞれ平坦面を形成するようになっていることを特徴とする請求項１記載の付属眼鏡付き眼鏡構造。
【考案の詳細な説明】
【技術分野】
【０００１】
本考案は、付属眼鏡付き眼鏡構造に関し、更に具体的に言うと、主体眼鏡ユニットに、別の機能をもたせた付属眼鏡を手軽に組合せることができるようにした、付属眼鏡付き眼鏡構造に関する。
【背景技術】
【０００２】
図１は、従来の付属眼鏡付き眼鏡構造の一例を示す斜視図である。
図１からわかるように、従来の付属眼鏡付き眼鏡構造は、主体眼鏡ユニット１０に付属眼鏡ユニット１１が組み合せてある構造となっている。主体眼鏡ユニット１０と付属眼鏡ユニット１１がそれぞれブリッジ１０１，１１１を備え、これら各ブリッジの左右両側に磁気部材１２，１３が埋め込まれており、これにより、主体眼鏡ユニットと付属眼鏡ユニットは磁気的に互いに吸着するようになっている。
【０００３】
しかし、主体眼鏡ユニット１０と付属眼鏡ユニット１１は、磁気部材１２，１３の簡単な平坦隣接を介して互いに磁気的に引き付け合っているだけなので、使用中に偶発的に大きな力が加わって付属眼鏡ユニット１１が動かされた場合、磁気部材１２，１３が、図２に示すように、水平方向にずれてしまったり、あるべき位置から完全に外れてしまうこともあり得る。
そのため、図３に示すように、挿入溝１４および挿入用ブロック１５がブリッジ１０１，１１１の一側部にそれぞれ形成され、主体眼鏡ユニット１０と付属眼鏡ユニット１１との組合せを強化するようにしている。しかし、これは製造コストを引き上げるばかりでなく、全体として主体眼鏡ユニット１０の見た目を悪くすることになる。
【０００４】
また、挿入用ブロック１５と挿入溝１４との間に隙間があいたまま設置されると、眼鏡を着用した人が走ったり飛び跳ねたりして動くと、図４に示すように、挿入用ブロック１５が挿入溝１４の中で前後に不安定にスライドするようになってしまう。
また更に、挿入用ブロック１５を挿入溝１４の中に位置付けてフィットさせるには正確に位置付けしなければならないが、このことが付属眼鏡ユニット１１を主体眼鏡ユニットに素早く正確に嵌めたり外したりするのがかなり難しくさせ、付属眼鏡ユニットの着脱が不便である。
【０００５】
そして、何度も繰り返して付属眼鏡ユニット１１を付けたり外したりしている内に、挿入溝１４と挿入用ブロック１５とがブリッジ１０１，１１１の内側表面をこすって、塗装表面を削ってしまい、これにより塗料が剥げ落ちることになり、眼鏡の外観を損ない、市場での競争力をなくしてしまう。
【０００６】
別の従来例として、図５に台湾特許第８７２１０４３８号示す。この従来例を参照すると、この従来例の付属眼鏡付き眼鏡構造は、１対の各々のレンズ玉には、内径部に段差のついた楕円形の溝穴１０３´がレンズの外側表面１０１´にあけられていて、その内側表面に形成された貫通孔１０４´と連通している。
【０００７】
眼鏡つるヒンジ部１１´の前端部には、前記溝穴１０３´と同一形状の挿入ブロック１１１´が配設されていて、その中央部にネジ孔１１２´が限定形成されている。眼鏡つる１３´の眼鏡つるヒンジ部１１´の前端部に設けた挿入用ブロック１１１´を前記溝穴１０３´に嵌めてから、内側表面１０２´の貫通孔１０４´を貫通してネジなどの係止部材１２´を入れて、挿入用ブロック１１１´のネジ孔１１２´とネジ係合させると、眼鏡のつる１３´がレンズ玉１０´に安定的に固着され、縁なし眼鏡が出来上がる。
【０００８】
しかし、図５に示す縁なし眼鏡には幾つか欠点がある。縁なし眼鏡を製造する場合には、大抵の場合、眼鏡のレンズ玉１０´の溝孔１０３´口径を前記挿入ブロック１１１´と同形に成型し、且つ貫通孔１０４´を眼鏡つるヒンジ１１´のネジ孔１１２´とぴたりと合うようにあけなければならない。左，右両眼のレンズ玉１０´に開けた貫通孔１０４´は捻じ曲がり易くて欠陥品となり易く、安定性に欠けるため、結果として製造コストが上がる。
【０００９】
図６は、台湾特許第９３２１２２０８号に開示された更に別の縁なし眼鏡の従来例であり、これは、左右両眼のレンズ玉２０の各々の側部に１個以上の位置決め孔２１，２２があけられており、これらの各孔２１，２２にそれぞれ、眼鏡つるヒンジ部２３に突出形成された２つの位置決めロッド２３１を１つずつ嵌め込んで、眼鏡レンズ玉２０とつるヒンジ部２３を固着して眼鏡のつるを装着するようにしている。
【００１０】
しかし、図６に示されたこの第２の縁なし眼鏡の場合も、不具合がある。
レンズ玉２０の位置決め用孔２１，２２は位置決めロッド２３１に合致するように適切に離間して形成されており、各眼鏡レンズ玉２０の間に形成されるブリッジ構造は製造するのがけっこう複雑で、これらに孔あけ作業をしたり、カッティング作業をするのは熟練者に頼らざるを得ない。２つの位置決め孔２１，２２の内のどちらか一つでも僅かに間違った位置に孔あけされた場合、位置決めロッド２３１は位置決め孔２１，２２にスムーズに嵌め入れることができなくなり、欠陥品とされてしまう。位置決めロッド２３１を無理に位置決め用孔２１，２２に押込んでしまうと、ある程度時間が経つと、眼鏡つるヒンジ部２３がねじれてしまい、調節するのが難しくなる。
【００１１】
更に、位置決めロッド２３１および位置決め用孔２１，２２が互いに直接結合され、長時間擦れ合うと、擦り切れて、眼鏡の外観を壊すようなひびが入ってしまう。従って，眼鏡レンズ玉２０は耐久性を失い、その結果、頻繁に眼鏡を替えなければならなくなる。
【特許文献１】台湾特許第８７２１０４３８号
【特許文献２】台湾特許第９３２１２２０８号
【考案の開示】
【考案が解決しようとする課題】
【００１２】
本考案は、従来技術の欠点を改善するもので、付属眼鏡ユニットを組み合せることのできる眼鏡構造であって、磁気部材により発生される磁力を介して、主体眼鏡ユニットの誘引部材と付属眼鏡ユニットの被誘引部材とが互いに磁気的に引き付けられて、磁性的な挿入位置決め効果により、被誘引部材の挿入用ロッドが誘引部材の挿入用溝に正確に嵌るようにされるようにし、これにより、従来技術で見られたような付属眼鏡ユニットが主体眼鏡ユニットとの結合において不安定になって滑り落ちてしまうような危険を回避することができるようにしたことで、一層の安定性が得られ、軽量で柔軟性のある使用を可能にすることを特徴とする眼鏡構造を提供することを目的とする。
【００１３】
更に、本考案は、磁気伝道力を有し、それぞれ、挿入用溝および挿入用ロッドを備えた被誘引部材と誘引部材とを介して付属眼鏡ユニットを主体眼鏡ユニットに組み合せて、互いに対応して嵌合されるようにすることで、付属眼鏡ユニットが主体眼鏡ユニットのブリッジ部をすり減らすことがなく、ブリッジに塗装された塗料が剥げ落ちることもなく、これにより防錆効果を達成することを特徴とする付属眼鏡ユニットを組み合せることのできる眼鏡構造を提供することを第２の目的とする。
【００１４】
更に、本考案は、主体眼鏡ユニットの各々のレンズ玉には、眼鏡つるヒンジ部の制限突起へはめ込むための制限孔が開けられており、これにより、つるヒンジ部がレンズ玉の上に適所にしっかりと保持され、移動が抑制されるので、組立製造が簡単に迅速に行えるようになる、付属眼鏡ユニットを組み合せることを特徴とする眼鏡構造を提供することを第３の目的とする。
【００１５】
更に、本考案は、レンズ玉の制限孔及びつるヒンジ部の制限突起との間に保護用プラグが取り外し可能に取り付けられていて、組立工程において眼鏡レンズ玉が外れたりしないように完全な保護機能をもたらすと共に、制限突起と長期間にわたって隣接することで柔軟性に劣化が生じた場合に簡単に取り替えられることを特徴とする付属眼鏡ユニットを組み合せることのできる眼鏡構造を提供することを第４の目的とする。
【課題を解決するための手段】
【００１６】
本考案の請求項１の考案は、主体眼鏡ユニットと付属眼鏡ユニットとからなる付属眼鏡付き眼鏡構造であって、前記眼鏡構造において、主体眼鏡ユニットと付属眼鏡ユニットのそれぞれにはブリッジが形成され、前記各ブリッジには、磁気部材を埋め込むために適切な位置に組立用孔が開けられていて、この磁気部材が発生する磁力を介して付属眼鏡ユニットが主体眼鏡ユニットに適所に安定して定着されるようになり、主体眼鏡ユニットおよび付属眼鏡ユニットの前記磁気部材にはそれぞれの一側に、誘引部材と被誘引部材とが配設されており、これら磁気伝導力のある誘引部材と被誘引部材には、それぞれ組立用の組付け部品があり、誘引部材の組付け部品には挿入用溝部が限定されており、被誘引部材の組付け部品には挿入用ロッドが突出しており、誘引部材の発生する磁力によって、付属眼鏡ユニットの被誘引部材と主体眼鏡ユニットの誘引部材とが互いに磁気的に引き付け合って位置合せされるようになると共に、被誘引部材の挿入用ロッドが、誘引部材の挿入用溝部に正確に嵌合されるので、付属眼鏡ユニットを主体眼鏡ユニットに磁気的に引き合って挿入して適所に安定して位置決めすることができるようにしたことを特徴とする。
【００１７】
請求項２の考案は、請求項１記載の付属眼鏡付き眼鏡構造において、主体眼鏡ユニットには1対のレンズ玉が配設されており、各々のレンズ玉にはその表側表面の予定位置に外側面から内側面へと伸長する制限孔が開けられており、更に主体眼鏡ユニットは1対のつるヒンジ部があり、各つるヒンジ部には、前記制限孔と同形状で、ヒンジ部前方で内側に伸長している制限突起があり、これにより前記制限孔と嵌合するようになっており、また、多数の挿入用リブが前記制限突起の外側表面に形成されていて、これにより制限孔に対してきつく隣接できるようになり、また更に、可撓性プラスチック製の中空の保護用プラグが制限孔と制限突起との間に位置するように適用されることにより一層接着性を高めることができるようにしたことを特徴とする。
【００１８】
請求項３の考案は、請求項１記載の付属眼鏡付き眼鏡構造において、主体眼鏡ユニットおよび付属眼鏡ユニットの組立用孔は各ブリッジの左右両側に設けられていて、これらの組立用孔に、同形状に形成された誘引部材および被誘引部材がそれぞれ埋め込まれ、適所に位置付けされるようにしたことを特徴とする。
【００１９】
請求項４の考案は、請求項１記載の付属眼鏡付き眼鏡構造において、主体眼鏡ユニット及び付属眼鏡ユニットの組立用孔がそれぞれのブリッジ部の中央部に開けられていて、これらの組立用孔に、同形状に形成された誘引部材および被誘引部材がそれぞれ埋め込まれ、適所に位置付けされるようにしたことを特徴とする。
請求項５の考案は、請求項１記載の付属眼鏡付き眼鏡構造において、主体眼鏡ユニット及び付属眼鏡ユニットの組立用孔は、円形、矩形、三角形、菱形など種々に異なる形状に形成され得ることを特徴とする。
【００２０】
請求項６の考案は、請求項２記載の付属眼鏡付き眼鏡構造において、つるヒンジ部の制限突起は外周縁部が制限孔の内径寸法よりも若干大きい寸法であることを特徴とする。
請求項７の考案は、請求項２記載の付属眼鏡付き眼鏡構造において、レンズ玉の制限孔は、円形、矩形、三角形、菱形、台形、短辺がアーチ形になった長楕円形、あるいは短辺がテーパ付きの長楕円形など、種々に異なる形状に形成され得ることを特徴とする。
【００２１】
請求項８の考案は、請求項１記載の付属眼鏡付き眼鏡構造において、つるヒンジ部の制限突起にはねじ孔が配設されていて、このねじ孔に頭部付き係止部材が螺合されるようにしたことを特徴とする。
【００２２】
請求項９の考案は、請求項２記載の付属眼鏡付き眼鏡構造において、保護用プラグはその一端部の外側周縁に可撓性パッドが突出しており、眼鏡のレンズ玉の制限孔の一側に対して隣接して設置されることを特徴とする。
【００２３】
請求項１０の考案は、請求項１記載の付属眼鏡付き眼鏡構造において、前記誘引部材および被誘引部材はそれぞれステンレス鋼あるいは鉄製であり、該誘引部材および被誘引部材の組付け部品が主体眼鏡ユニットの組立用孔および付属眼鏡ユニットの組立用孔に係合し、それぞれ平坦面を形成するようになっていることを特徴とする。
【考案の効果】
【００２４】
上記の目的を達成するため、本考案の付属眼鏡付き眼鏡構造は、磁気部材により発生される磁力を介して、主体眼鏡ユニットの誘引部材と付属眼鏡ユニットの被誘引部材とが互いに磁気的に引き付けられて、磁性的な挿入位置決め効果により、被誘引部材の挿入用ロッドが誘引部材の挿入用溝に正確に嵌るようにされ、これにより、従来技術で見られたような付属眼鏡ユニットが主体眼鏡ユニット上で不安定になって滑り落ちてしまうような危険を回避することができるようにしたことで、一層の安定性を得られ、軽量で柔軟性のある使用を可能にすることができる。
【考案を実施するための最良の形態】
【００２５】
以下、添付図面を参照して本考案の好適な実施の形態を実施例に基づいて詳細に説明する。
【実施例１】
【００２６】
図７〜１０は、本考案の眼鏡構造の一実施例の分解斜視図である。
本発明の眼鏡構造は主体眼鏡ユニット３０に付属眼鏡ユニット４０が組み合わされるようになった眼鏡構造であり、ブリッジ３１が備わった主体眼鏡ユニット３０と、ブリッジ４１が備わった付属眼鏡ユニット４０から構成されている。
【００２７】
それぞれの主体及び付属眼鏡ユニット３０，４０のブリッジ３１，４１の左右両側には、それぞれ適所に、円形、矩形、三角形、菱形などの様々な形状から選択される垂直方向に貫通する一対の組立用孔３２，３２、４２，４２が開けられており、これら組立用孔３２，４２には、同形状に形成された一対の磁気部材３３，３３、４３，４３がそれぞれ埋め込まれている。そして、各磁気部材３３，４３のそれぞれの位置側面には、誘引部材３４、被誘引部材４４が組み合わされている。各誘引部材３４および各被誘引部材４４は、ステンレス鋼製或いは鉄製であり、磁気伝導力を備えており、その一側に組立用の組付け部品３４２，４４２がそれぞれ設けられている。
各誘引部材３４の組付け部品３４２には挿入溝３４１が限定され、各被誘引部材４４の組付け部品４４２には挿入用ロッド４４１がそれぞれ突出している。
したがって、図１０に示すように、各磁気部材３３，４３によって発生した磁力を介して、付属眼鏡ユニット４０の被誘引部材４４と主体眼鏡ユニット３０の誘引部材３４が、互いに対して位置決めするように磁気的に引き付け合うようになる。
【００２８】
一方、各被誘引部材４４の挿入用ロッド４４１が各誘引部材３４の挿入溝３４１に正確に嵌合されるようになっているので、これにより、磁気的引き付け合い及び挿入位置決めの両目的を達成することができ、従来技術で見られたような、付属眼鏡ユニット４０が滑り落ちてしまうというような危険性を排除して、主体眼鏡ユニット３０の適所に安定して固定することができ、安定性ということが達成される。
また、主体眼鏡ユニット３０及び付属眼鏡ユニット４０は軽量で、柔軟性のある利用ができるということが特徴付けられる。
更にまた、主体眼鏡ユニット３０には１対のレンズ玉３５が備えられているが、それぞれのレンズ玉３５には外側表面の予め決めた場所に制限孔３５１が開けられて（左右のどちらでも、あるいは左右両側に）、内側表面まで貫通している。この制限孔３５１は、円形でも、矩形でも、三角形でも、菱形でも、台形でも、短辺がアーチ状をした長方形でも、短辺がテーパ状をした長方形でも、種々の形であってよい。
【００２９】
主体眼鏡ユニット３０には、更に、１対の眼鏡つるヒンジ部３６が含まれており、図１１及び図１２に示すように、各々のヒンジ部３６はその内側表面の前方部に、制限孔３５１と相互に係合し合うように該制限孔に３５１と同一形状となる制限突起３６１が伸長している。制限突起３６１の寸法は制限孔３５１の内径寸法よりも若干大きい寸法に形成してあり、制限孔３５１の内側表面にしっかりと隣接して位置決めされるように、その内側表面には等間隔に離隔して多数個のリブが形成されていて、これにより、つるヒンジ部３６がレンズ玉３５の適所に安定して保持される。
【００３０】
制限突起３６１には更にネジ孔３６３が配置してあり、このネジ孔３６３に頭部５１の付いた係止部材５０が螺合され、レンズ玉３５がつるヒンジ部３６に正確に係合されるようになるので、これにより、一層軽量の負担のない縁なし眼鏡とすることができるようになる。
【００３１】
更にまた、可撓性プラスチック製の中空の保護用プラグ３７が、レンズ玉３５の制限孔３５１とつるヒンジ部３６の制限突起３６１との間に配設されるので、つるヒンジ部３６がレンズ玉３５に組みつけられたときに、制限突起３６１が制限孔３５１の内側表面から外れて落ちてしまわないようにする。そして、保護用プラグ３７にはその一端部の外周に鍔状の可撓性パッド３７１が突出しており、レンズ玉３５の制限孔３５１の一側面で外周に対して隣接して、係止部材５０を介してそこにしっかりと固着されるので、つるヒンジ部３６はこの係止工程でレンズ玉３５と直接接触しないようになり、これにより、レンズ玉３５との嵌合接触を保護することができ、これにより眼鏡の質を高めることができる。
【００３２】
上記実施例によれば、以下のような効果がある。
保護用プラグ３７の内径は制限突起３６１よりも小さいので、制限突起３６１の外周囲にしっかりと巻き付き、且つ、挿入用リブ３６２と結合して、これにより滑り止め効果が生じる。
保護用プラグ３７は制限突起３６１および制限孔３５１の間に対応してきつく挟み付けられ、その間に柔軟性をもって拘束されており、緊密で堅固な位置決め効果が発生し、これによりレンズ玉３５がつるヒンジ部３６にきっちりと固定される。
制限孔３５１と制限突起３６１とを引き離して隔てるのに用いられる保護用プラグ３７の作用を介して、レンズ玉３５は擦れて磨耗することがない。また、保護用プラグ３７は、制限突起と長期間に亘って接触することで可撓性に劣化が生じた場合に、新しいものと簡単に取り替えることができるとともに、従来技術の眼鏡で取り替えていた頻度を低減することができる。
【００３３】
眼鏡の製造工程において、レンズ玉３５は適切な位置に制限孔３５１が開けられており、つるヒンジ部３６の制限突起３６１がこの制限孔３５１へ整合性や補整のトラブルもなく簡単に据え付けられるので、製造工程が簡単で迅速に行える。
更に、レンズ玉３５は左右両側にも制限孔３５１がそれぞれ開けられていて、つるヒンジ部３６の制限突起３６１とブリッジの制限突起（図示せず）とがそれぞれの制限孔３５１に嵌められることができるようになっている。
また更に、磁気部材３３，４３にはそれぞれ、固定用接着剤を介して誘引部材３４および被誘引部材４４が付けられていて、互いに対して平坦面を形成するよう、誘引部材３４および被誘引部材４４の組付け部品３４２，４４２が組立用孔３２および４２に正確に係合するようになる。
【実施例２】
【００３４】
次に、実施例２について、図１３を参照して説明する。
主体眼鏡ユニット３０及び付属眼鏡ユニット４０のそれぞれのブリッジ３１および４１には、その中央部にそれぞれ、誘引部材３４が付いた磁気部材３３および被誘引部材４４の付いた磁気部材４３を埋め込むための矩形の組立用孔３２および４２が形成されている。誘引部材３４および被誘引部材４４には、それぞれ、一側に、組立用の組付け部品３４２および４４２が備わっていて、誘引部材４４の組付け部品４４２には挿入用溝部３４１が限定されており、被誘引部材４４の組付け部品４４２には挿入用ロッド４４１が突出しており、これにより、挿入用ロッド４４１が該挿入用溝部３４１に嵌合して、磁気的誘引作用および挿入位置決め作用の目的を果たすようになる。
【実施例３】
【００３５】
次に、実施例３について、図１４を参照して説明する。
主体眼鏡ユニット３０にはつるヒンジ部３５の前方部に組立用孔３６４が配置され、付属眼鏡ユニット４０には両方のレンズ玉４５の対応する横方向外側に固定されたフレーム４６に組立用孔４６１が配置されている。誘引部材３４の付いた磁気部材３３が組立用孔３６４に埋め込まれており、被誘引部材４４のついた磁気部材４３が組立用孔４６１に埋め込まれている。誘引部材３４および被誘引部材４４には、それぞれその一側に、組付け部品３４２および４４２がそれぞれ備えられ、誘引部材の組付け部品３４２には挿入用溝部３４１が限定されており、被誘引部材４４の組付け部品４４１には挿入ロッド４４１が突出しており、挿入用ロッド４４１が該挿入用溝部３４１に嵌合して、磁気的誘引作用および挿入位置決め作用の目的を果たすようになる。
【実施例４】
【００３６】
次に、実施例４について図１５を参照して説明する。
本考案の付属眼鏡付き眼鏡構造の実施例４では、主体眼鏡ユニット６０にはプラスチック製のフレーム６１が付いていて、このプラスチック製フレーム６１にブリッジが形成され、その内側面には、誘引部材６３を埋め込むための組立用孔６２１が限定されている。付属眼鏡ユニット７０にも、主体眼鏡ユニットのフレーム６１のブリッジ６２と同形状に形成され、内側に曲がったＬ字形挿入片７１１が備わった、対応ブリッジ７１がある。被誘引部材７２をその中に埋め込むために、挿入片７１１の一側面に組立用孔７１２があって、これによって、磁気的誘引作用および挿入位置決め作用の目的を果たすようになる。
【実施例５】
【００３７】
次に、実施例５について図１６を参照して説明する。
この図１６の実施例の実施態様では、誘引部材６３を埋め込むための組立用孔６２１が、プラスチック・フレーム６１のブリッジ６２の上部表面に設けられている。付属眼鏡ユニット７０のブリッジ７１は、プラスチック・フレーム６１のブリッジ６２と同形状に形成され、ブリッジ７１には隣接片７１１‘が内側に曲がって配置されている。この内側に曲がった隣接片７１１´は、その内側表面に、被誘引部材７２をその中に埋め込むための組立用孔７１２´が限定されていて、これによって、磁気的誘引作用および挿入位置決め作用の目的を果たすようになる。
【００３８】
以上のように、本考案の好適な実施例を説明したが、本考案は、上記実施例に限定されることなく、実用新案登録請求の範囲を逸脱しない範囲における各種の変形，改良は本考案の請求範囲に包含されることは言うまでもない。
【図面の簡単な説明】
【００３９】
【図１】従来の付属眼鏡付き眼鏡構造の一例の斜視図
【図２】図１の一部断面図
【図３】別の従来の付属眼鏡付き眼鏡構造の拡大斜視図
【図４】図３の一部断面図
【図５】別の従来技術の拡大斜視図
【図６】更に別の従来技術の拡大斜視図
【図７】本考案の付属眼鏡付き眼鏡構造一実施例を示す分解斜視図
【図８】本考案の誘引部材の付いた磁気部材と、被誘引部材のついた磁気部材の拡大図。
【図９】本考案の誘引部材の付いた磁気部材と、被誘引部材のついた磁気部材の変形例の拡大図
【図１０】主体眼鏡ユニットと付属眼鏡付き眼鏡構造が組み合された状態の第１実施例の部分断面図。
【図１１】眼鏡のレンズ玉とつるヒンジ部が組み合わされた状態の第１実施例の部分断面図。
【図１２】眼鏡のレンズ玉とつるヒンジ部が組み合わされた状態の変形例を示す部分断面図。
【図１３】本考案の付属眼鏡付き眼鏡構造の実施例２を示す破断斜視図。
【図１４】本考案の付属眼鏡付き眼鏡構造の実施例３を示す破断斜視図。
【図１５】本考案の付属眼鏡付き眼鏡構造の実施例４を示す破断斜視図。
【図１６】本考案の付属眼鏡付き眼鏡構造の実施例５を示す破断斜視図。
【符号の説明】
【００４０】
３０          主体眼鏡ユニット
３１，４１    ブリッジ
３２，４２    組立用孔
３３，４３    磁気部材
３４          誘引部材
３４１        挿入溝
４４１        挿入用ロッド
３５          レンズ玉
３５１        制限孔
３６          ヒンジ部
３６１        制限突起
３６２        挿入用リブ
３７          保護用ラグ
５０          係止部材
【図１】
0003125901.tif 000003
【図２】
0003125901.tif 000004
【図３】
0003125901.tif 000005
【図４】
0003125901.tif 000006
【図５】
0003125901.tif 000007
【図６】
0003125901.tif 000008
【図７】
0003125901.tif 000009
【図８】
0003125901.tif 000010
【図９】
0003125901.tif 000011
【図１０】
0003125901.tif 000012
【図１１】
0003125901.tif 000013
【図１２】
0003125901.tif 000014
【図１３】
0003125901.tif 000015
【図１４】
0003125901.tif 000016
【図１５】
0003125901.tif 000017
【図１６】
0003125901.tif 000018